(57)【要約】【課題】複数の光源を一定の順序で点灯および消灯させる車載灯具用光源点灯装置を提供する。【解決手段】制御部１３は、Ｌｏ入力電圧が第１の電圧以上になったときにＬｏ用ＬＥＤ１を点灯させるようにＬｏ用電圧変換部１１を制御し、Ｈｉ入力電圧が第１の電圧より高い第３の電圧以上になったときにＨｉ用ＬＥＤ２を点灯させるようにＨｉ用電圧変換部１２を制御する。また、制御部１３は、Ｈｉ入力電圧が第１の電圧より低い第２の電圧以下になったときにＨｉ用ＬＥＤ２を消灯させるようにＨｉ用電圧変換部１２を制御し、Ｌｏ入力電圧が第２の電圧より低い第４の電圧以下になったときにＬｏ用ＬＥＤ１を消灯させるようにＬｏ用電圧変換部１１を制御する。【選択図】図１
2014156184.tif 000002
【特許請求の範囲】
【請求項１】
車載灯具の有する複数の光源を点灯する車載灯具用光源点灯装置であって、
前記それぞれの光源の点灯用あるいは消灯用の信号として入力される電圧を検出する複数の電圧入力部と、
電源に接続され、当該電源の電圧を光源点灯用の電圧に変換する電圧変換部と、
前記電圧入力部の検出した入力電圧を判断して、前記電圧変換部の制御と前記複数の光源の点灯および消灯制御を行う制御部とを備え、
前記制御部は、第１の光源を含む前記複数の光源が消灯している状態から前記複数の光源それぞれを点灯する場合は、前記第１の光源の点灯制御を開始するまでは前記第１の光源以外の光源の点灯制御を行わず、前記第１の光源を含む前記複数の光源が点灯している状態から前記複数の光源それぞれを消灯する場合は、前記第１の光源以外の光源の消灯制御を開始するまでは前記第１の光源の消灯制御を行わないことを特徴とする車載灯具用光源点灯装置。
【請求項２】
前記制御部は、入力電圧が第１の電圧以上になったときに前記第１の光源を点灯制御し、当該第１の電圧より高い第３の電圧以上になったときに前記第１の光源以外の光源を点灯制御し、前記第１の電圧より低い第２の電圧以下になったときに前記第１の光源以外の光源を消灯制御し、当該第２の電圧より低い第４の電圧以下になったときに前記第１の光源を消灯制御することを特徴とする請求項１記載の車載灯具用光源点灯装置。
【請求項３】
前記制御部は、前記第１の光源が消灯している状態では、入力電圧が前記第３の電圧以上になったときに前記第１の光源以外の光源を点灯制御し、前記第１の光源の点灯制御を開始した後は、前記第３の電圧を前記第１の電圧と同等の電圧に変更して、当該入力電圧が前記第１の電圧と同等の前記第３の電圧以上になったときに前記第１の光源以外の光源を点灯制御することを特徴とする請求項２記載の車載灯具用光源点灯装置。
【請求項４】
前記制御部は、前記第１の光源以外の光源が点灯している状態では、入力電圧が前記第４の電圧以下になったときに前記第１の光源を消灯制御し、前記第１の光源以外の光源の消灯制御を開始した後は、前記第４の電圧を前記第２の電圧と同等の電圧に変更して、当該入力電圧が前記第２の電圧と同等の前記第４の電圧以下になったときに前記第１の光源を消灯制御することを特徴とする請求項２記載の車載灯具用光源点灯装置。
【請求項５】
前記制御部は、入力電圧が第１の電圧以上になったときに前記第１の光源を点灯制御し、入力電圧が前記第１の電圧以上になったときから所定時間の経過後に前記第１の光源以外の光源を点灯制御することを特徴とする請求項１記載の車載灯具用光源点灯装置。
【請求項６】
前記制御部は、入力電圧が第２の電圧以下になったときに前記第１の光源以外の光源を消灯制御し、入力電圧が前記第２の電圧以下になったときから所定時間の経過後に前記第１の光源を消灯制御することを特徴とする請求項１記載の車載灯具用光源点灯装置。
【請求項７】
前記制御部は、入力電圧が第１の電圧以上になったときから第１の時間経過後に前記第１の光源を点灯制御し、入力電圧が前記第１の電圧以上になったときから前記第１の時間より長い第２の時間経過後に前記第１の光源以外の光源を点灯制御することを特徴とする請求項１記載の車載灯具用光源点灯装置。
【請求項８】
前記制御部は、入力電圧が第２の電圧以下になったときから第１の時間経過後に前記第１の光源以外の光源を消灯制御し、入力電圧が第２の電圧以下になったときから前記第１の時間より長い第２の時間経過後に前記第１の光源を消灯制御することを特徴とする請求項１記載の車載灯具用光源点灯装置。
【請求項９】
前記制御部は、ＣＰＵ（Ｃｅｎｔｒａｌ  Ｐｒｏｃｅｓｓｉｎｇ  Ｕｎｉｔ）を用いて構成され、
前記制御部は、
前記複数の光源の点灯または消灯を制御するための、第１の電圧、第２の電圧、第３の電圧、第４の電圧、所定時間、第１の時間、および第２の時間のうちの少なくとも１以上の情報を記憶する記憶部と、
前記記憶部に入力する前記情報を外部機器から取得する通信部とを有することを特徴とする請求項１から請求項８のうちのいずれか１項記載の車載灯具用光源点灯装置。
【請求項１０】
前記第１の光源は、ＤＲＬ（Ｄａｙ  ｔｉｍｅ  Ｒｕｎｎｉｎｇ  Ｌｉｇｈｔ）用の光源であり、
前記第１の光源以外の光源は、車幅灯、フォグランプ等の光源であることを特徴とする請求項１から請求項９のうちのいずれか１項記載の車載灯具用光源点灯装置。
【請求項１１】
前記第１の光源は、車幅灯用の光源であり、
前記第１の光源以外の光源は、前照灯、フォグランプ等の光源であることを特徴とする請求項１から請求項９のうちのいずれか１項記載の車載灯具用光源点灯装置。
【請求項１２】
前記第１の光源は、前照灯のすれ違い灯用の光源であり、
前記第１の光源以外の光源は、前記前照灯の走行灯、高速道路対応の補助灯、雨に濡れた道路対応の補助灯等の光源であることを特徴とする請求項１から請求項９のうちのいずれか１項記載の車載灯具用光源点灯装置。
【発明の詳細な説明】
【技術分野】
【０００１】
この発明は、車載灯具が有する複数の光源を一定の順序で点灯および消灯させる車載灯具用光源点灯装置に関するものである。
【背景技術】
【０００２】
従来の車載灯具用の光源点灯装置は、光源ごとに独立に存在しており、光源を点灯する点灯スイッチを介して入力される電源電圧に応じて点灯および消灯（以下、点消灯）を制御していた。そのため、車載灯具の複数の光源の各点灯スイッチを同時にＯＮまたはＯＦＦした場合、各光源が点灯するまでの時間または消灯するまでの時間にばらつきが生じていた。しかしながら、光源点灯装置は光源ごとに独立に存在しているため、他の光源の点灯状態を知る方法がなく、光源間の点灯性のばらつきに対する解決方法は存在しなかった。
【０００３】
近年では、１つの光源点灯装置で複数の光源の点消灯の制御を行うことがトレンドとなっている。例えば、特許文献１に係る車両外部ライトを制御するシステムには、画像センサの情報に基づいて前照灯の配光を制御する技術が提案されている。このシステムは、画像センサの情報から対向車のヘッドライトを検出し、対向車がいる場合は前照灯のロウビームのみを点灯し、対向車がいない場合は前照灯のハイビームも点灯することで、他のドライバの目に眩輝を起こすことなく車両前方を照らすことができる。
【０００４】
上記特許文献１のように、１つの光源点灯装置で複数の光源の点消灯の制御を行う構成にすることで、他の光源の点灯状態を知ることが可能となる。これにより、光源間の点灯性のばらつきに対処することが可能になる。しかしながら、上記特許文献１を含む従来の光源点灯装置では、複数の光源の同時点灯または同時消灯時の動作シーケンスに関して言及はされておらず、依然として光源間の点灯性のばらつきが生じていた。
【０００５】
ここで、図２７に、１つの光源点灯装置で複数の光源の点消灯の制御を行う従来の光源点灯装置の点灯および消灯シーケンスの一例を示す。ここでは、ロウ（Ｌｏ）ビームとハイ（Ｈｉ）ビームの２つの光源を例に説明する。グラフの縦軸がＬｏビームとＨｉビームの入力電圧、横軸が時間を表す。Ｌｏビームの入力電圧とは、Ｌｏビームの点消灯を指示する点灯スイッチを介して光源点灯装置に入力される電源電圧のことであり、Ｈｉビームの入力電圧とは、Ｈｉビームの点消灯を指示する点灯スイッチを介して光源点灯装置に入力される電源電圧のことである。光源点灯装置は、Ｌｏビームの入力電圧が点灯判定閾値電圧を上回った時点でＬｏビームを点灯させ、消灯判定閾値電圧を下回った時点で消灯させる。同様に、Ｈｉビームの入力電圧が点灯判定閾値電圧を上回った時点でＨｉビームを点灯させ、消灯判定閾値電圧を下回った時点で消灯させる。
【０００６】
図２７の例では、Ｌｏビームの点灯スイッチとＨｉビームの点灯スイッチを同時にＯＮ／ＯＦＦしているが、Ｌｏ入力電圧の入力インタフェースとＨｉ入力電圧の入力インタフェースのばらつきにより、点灯スイッチＯＮから点灯までの時間および点灯スイッチＯＦＦから消灯までの時間にばらつきが生じてしまう。そのため、Ｌｏ入力電圧の入力インタフェースの点灯判定閾値電圧がＨｉ入力電圧の入力インタフェースの点灯判定閾値電圧に比べて高い場合、Ｌｏビームより先にＨｉビームが点灯してしまう。同様に、Ｈｉ入力電圧の入力インタフェースの消灯判定閾値電圧がＬｏ入力電圧の入力インタフェースの消灯判定閾値電圧に比べて低い場合、ＨｉビームがＬｏビームより遅れて消灯する。
【０００７】
従来、ＨｉビームはＬｏビーム点灯後に点灯し、Ｌｏビームより早く消灯すべきである。なぜならば、Ｌｏビームは車両近傍を照らす機能を担う光源であり、Ｈｉビームは車両遠方を照らす機能を担う光源であるため、逆の点灯シーケンスでは車両遠方から近傍に向かって明るくなりユーザにとって不自然な点灯となるためである。このように、複数の入力インタフェースに同じ閾値を設定した場合でも実際の閾値にはばらつきが生じるため、単一の閾値に基づく点灯制御では常に適切な点灯シーケンスを守ることができなかった。
【先行技術文献】
【特許文献】
【０００８】
【特許文献１】特表２００４−５００２７９号公報
【発明の概要】
【発明が解決しようとする課題】
【０００９】
従来の光源点灯装置は以上のように構成されているので、複数の入力インタフェースに同じ閾値を設定した場合においても実際の閾値には公差が含まれるため、同時に点灯スイッチを操作したにもかかわらず同時に点消灯することができないという課題があった。また、点灯シーケンスも、点消灯の閾値の公差に依存して、一定の順序を守ることができないという課題があった。さらに、車載灯具用の光源点灯装置は電源電圧の変動があっても仕様の範囲内において光源の点灯性を満足する必要があるため、光源ごとに異なる点消灯の閾値を設定することは困難であった。
【００１０】
この発明は、上記のような課題を解決するためになされたもので、複数の光源を一定の順序で点灯および消灯させる車載灯具用光源点灯装置を提供することを目的とする。
【課題を解決するための手段】
【００１１】
この発明に係る車載灯具用光源点灯装置は、それぞれの光源の点灯用あるいは消灯用の信号として入力される電圧を検出する複数の電圧入力部と、電源に接続され、当該電源の電圧を光源点灯用の電圧に変換する電圧変換部と、電圧入力部の検出した入力電圧を判断して、電圧変換部の制御と複数の光源の点灯および消灯制御を行う制御部とを備え、制御部は、第１の光源を含む前記複数の光源が消灯している状態から複数の光源それぞれを点灯する場合は、第１の光源の点灯制御を開始するまでは第１の光源以外の光源の点灯制御を行わず、第１の光源を含む複数の光源が点灯している状態から複数の光源それぞれを消灯する場合は、第１の光源以外の光源の消灯制御を開始するまでは第１の光源の消灯制御を行わないようにしたものである。
【発明の効果】
【００１２】
この発明によれば、複数の光源を同時に点灯する場合は、第１の光源の点灯制御を開始するまでは第１の光源以外の光源の点灯制御を行わず、また、複数の光源を同時に消灯する場合は、第１の光源以外の光源の消灯制御を開始するまでは第１の光源の消灯制御を行わないようにしたので、複数の入力インタフェース（電圧入力部）にばらつきがあっても、第１の光源が先に点灯し、第１の光源以外の光源が先に消灯するシーケンスを保つことができる。従って、複数の光源を一定の順序で点灯および消灯させる車載灯具用光源点灯装置を提供することができる。
【図面の簡単な説明】
【００１３】
【図１】この発明の実施の形態１に係るＬＥＤ点灯装置の構成を示す回路図である。
【図２】実施の形態１に係るＬＥＤ点灯装置の動作を示すフローチャートである。
【図３】実施の形態１のＨｉ用電圧入力部の構成例を示す回路図である。
【図４】実施の形態１に係るＬＥＤ点灯装置の点灯シーケンスを説明するグラフである。
【図５】実施の形態１に係るＬＥＤ点灯装置の点灯シーケンスを説明するフローチャートである。
【図６】実施の形態１のＬｏ用電圧入力部の構成例を示す回路図である。
【図７】実施の形態１に係るＬＥＤ点灯装置の消灯シーケンスを説明するグラフである。
【図８】実施の形態１に係るＬＥＤ点灯装置の消灯シーケンスを説明するフローチャートである。
【図９】図３〜図８の点灯および消灯シーケンスにおけるＬｏ用ＬＥＤおよびＨｉ用ＬＥＤの点消灯状態と閾値電圧との関係を示す表である。
【図１０】この発明の実施の形態２に係るＬＥＤ点灯装置の構成を示す回路図である。
【図１１】実施の形態２のＬｏ用電圧入力部およびＨｉ用電圧入力部の構成例を示す回路図である。
【図１２】実施の形態２に係るＬＥＤ点灯装置の点灯シーケンスを説明するグラフである。
【図１３】実施の形態２に係るＬＥＤ点灯装置の点灯シーケンスを説明するフローチャートである。
【図１４】実施の形態２に係るＬＥＤ点灯装置の消灯シーケンスを説明するグラフである。
【図１５】実施の形態２に係るＬＥＤ点灯装置の消灯シーケンスを説明するフローチャートである。
【図１６】この発明の実施の形態３に係るＬＥＤ点灯装置の構成を示す回路図である。
【図１７】実施の形態３に係るＬＥＤ点灯装置の点灯シーケンスを説明するグラフである。
【図１８】実施の形態３に係るＬＥＤ点灯装置の点灯シーケンスを説明するフローチャートである。
【図１９】実施の形態３に係るＬＥＤ点灯装置の消灯シーケンスを説明するグラフである。
【図２０】実施の形態３に係るＬＥＤ点灯装置の消灯シーケンスを説明するフローチャートである。
【図２１】この発明の実施の形態４に係るＬＥＤ点灯装置の構成を示す回路図である。
【図２２】この発明の実施の形態５に係るＬＥＤ点灯装置を適用した車載灯具の一例を示す図である。
【図２３】実施の形態５に係るＬＥＤ点灯装置を適用した車載灯具の別の例を示す図である。
【図２４】実施の形態５に係るＬＥＤ点灯装置を適用した車載灯具の別の例を示す図である。
【図２５】この発明に係るＬＥＤ点灯装置の変形例を示す回路図である。
【図２６】この発明に係るＬＥＤ点灯装置の別の変形例を示す回路図である。
【図２７】従来の光源点灯装置の点灯および消灯シーケンスを説明するグラフである。
【発明を実施するための形態】
【００１４】
実施の形態１．
図１に示す車載灯具用光源点灯装置は、ＬＥＤ（発光ダイオード）を光源に用いる前照灯を点灯するためのＬＥＤ点灯装置１０であって、第１の光源としてＬｏビームを形成するＬｏ用ＬＥＤ１と、第２の光源（第１の光源以外の光源）としてＨｉビームを形成するＨｉ用ＬＥＤ２とを使用する。
【００１５】
このＬＥＤ点灯装置１０は、電源３の電圧をＬｏ用ＬＥＤ１の点灯用の電圧に変換するＬｏ用電圧変換部１１と、電源３の電圧をＨｉ用ＬＥＤ２の点灯用の電圧に変換するＨｉ用電圧変換部１２と、Ｌｏ用電圧変換部１１およびＨｉ用電圧変換部１２を操作してＬｏ用ＬＥＤ１およびＨｉ用ＬＥＤ２の点消灯を制御する制御部１３と、電源３の電源電圧を入力するＬｏ用電圧入力部１４およびＨｉ用電圧入力部１５とを備えている。
【００１６】
車両側に設けられたＬｏ用点灯スイッチ４およびＨｉ用点灯スイッチ５のＯＮ／ＯＦＦにより、Ｌｏ用ＬＥＤ１およびＨｉ用ＬＥＤ２の点消灯が指示される。このＬｏ用点灯スイッチ４のＯＮ／ＯＦＦにより、電源３からＬｏ用電圧変換部１１へ電源電圧（以下、Ｌｏ入力電圧）が供給および遮断される。同様に、Ｈｉ用点灯スイッチ５のＯＮ／ＯＦＦにより、電源３からＨｉ用電圧入力部１５へ電源電圧（以下、Ｈｉ入力電圧）が供給および遮断される。
【００１７】
Ｌｏ用電圧変換部１１およびＨｉ用電圧変換部１２は、例えばＤＣＤＣコンバータを用いて構成されており、制御部１３の操作に従って動作し、電源３の電圧を点灯用電圧に変換してＬｏ用ＬＥＤ１およびＨｉ用ＬＥＤ２へ供給したり供給を停止したりする。
【００１８】
Ｌｏ用電圧入力部１４は、Ｌｏ用点灯スイッチ４を介して電源３から入力されるＬｏ入力電圧を監視し、その電圧が所定のＬｏ点灯条件を満足すれば、制御部１３へＬｏ用ＬＥＤ１の点灯指示を出力し、その電圧が所定のＬｏ消灯条件を満足すれば、制御部１３へＬｏ用ＬＥＤ１の消灯指示を出力する。同様に、Ｈｉ用電圧入力部１５は、Ｈｉ用点灯スイッチ５を介して電源３から入力されるＨｉ入力電圧を監視し、その電圧が所定のＨｉ点灯条件を満足すれば、制御部１３へＨｉ用ＬＥＤ２の点灯指示を出力し、その電圧が所定のＨｉ消灯条件を満足すれば、制御部１３へＨｉ用ＬＥＤ２の消灯指示を出力する。
Ｌｏ用電圧入力部１４およびＨｉ用電圧入力部１５の構成方法としては、コンパレータを用いる方法、およびＣＰＵ（Ｃｅｎｔｒａｌ  Ｐｒｏｃｅｓｓｉｎｇ  Ｕｎｉｔ）のＡＤ変換機能を用いる方法がある。詳細は後述する。
【００１９】
制御部１３は、Ｌｏ用電圧入力部１４から点灯指示が入力されると、Ｌｏ用電圧変換部１１を動作させて電源３の電圧をＬｏ用ＬＥＤ１の点灯用電圧に変換し、Ｌｏ用ＬＥＤ１を点灯する。一方、Ｌｏ用電圧入力部１４から消灯指示が入力されると、制御部１３はＬｏ用電圧変換部１１の動作を停止させてＬｏ用ＬＥＤ１を消灯する。同様に、制御部１３は、Ｈｉ用電圧入力部１５から点灯指示が入力されると、Ｈｉ用電圧変換部１２を動作させて電源３の電圧をＨｉ用ＬＥＤ２の点灯用電圧に変換してＨｉ用ＬＥＤ２を点灯し、一方、Ｈｉ用電圧入力部１５から消灯指示が入力されると、Ｈｉ用電圧変換部１２の動作を停止させてＨｉ用ＬＥＤ２を消灯する。
【００２０】
Ｌｏ点灯条件としては、例えば、第１の電圧（点灯判定閾値電圧）があり、Ｌｏ入力電圧が第１の電圧以上のときにＬｏ用ＬＥＤ１を点灯する。Ｌｏ消灯条件としては、例えば、第１の電圧より低い第２の電圧（消灯判定閾値電圧）があり、Ｌｏ入力電圧が第２の電圧以下のときにＬｏ用ＬＥＤ１を消灯する。
【００２１】
同様に、Ｈｉ点灯条件としては、例えば、第１の電圧（点灯判定閾値電圧）があり、Ｈｉ入力電圧が第１の電圧以上のときにＨｉ用ＬＥＤ２を点灯する。Ｈｉ消灯条件としては、例えば、第１の電圧より低い第２の電圧（消灯判定閾値電圧）があり、Ｈｉ入力電圧が第２の電圧以下のときにＨｉ用ＬＥＤ２を消灯する。
【００２２】
先立って示した図２７において、Ｌｏ用電圧入力部１４およびＨｉ用電圧入力部１５に同じ第１の電圧（標準電圧）を設定した場合においても、実際の第１の電圧にはばらつきが生じる。そのため、従来は、Ｌｏ用点灯スイッチ４とＨｉ用点灯スイッチ５を同時にＯＮしたとしても、Ｌｏ用ＬＥＤ１とＨｉ用ＬＥＤ２を同時に点灯することができなかった。また、第１の電圧のばらつきに依存して、Ｌｏ用ＬＥＤ１、Ｈｉ用ＬＥＤ２の順序で点灯する点灯シーケンスを守ることもできなかった。消灯の場合も同様に、第２の電圧のばらつきに起因して、Ｌｏ用点灯スイッチ４とＨｉ用点灯スイッチ５を同時にＯＦＦしたとしても同時消灯できず、また、Ｈｉ用ＬＥＤ２、Ｌｏ用ＬＥＤ１の順序で消灯する消灯シーケンスを守ることもできなかった。
【００２３】
これに対し、本実施の形態１に係るＬＥＤ点灯装置１０では、Ｌｏ用ＬＥＤ１とＨｉ用ＬＥＤ２の両方が消灯している状態からＬｏ用ＬＥＤ１とＨｉ用ＬＥＤ２を同時に点灯させる場合、Ｌｏ用ＬＥＤ１の点灯制御を行うまでは、Ｈｉ用ＬＥＤ２の点灯制御をし難くするために、Ｈｉ点灯条件をＬｏ点灯条件に比べて点灯し難く設定する。
また、Ｌｏ用ＬＥＤ１とＨｉ用ＬＥＤ２の両方が点灯している状態からＬｏ用ＬＥＤ１とＨｉ用ＬＥＤ２を同時に消灯させる場合、Ｈｉ用ＬＥＤ２の消灯制御を行うまでは、Ｌｏ用ＬＥＤ１の消灯制御をし難くするために、Ｌｏ消灯条件をＨｉ消灯条件に比べて点灯し難く設定する。
【００２４】
図２は、ＬＥＤ点灯装置１０の動作を示すフローチャートである。
Ｌｏ用ＬＥＤ１とＨｉ用ＬＥＤ２が両方消灯している場合において、Ｈｉ用電圧入力部１５は、Ｈｉ点灯条件をＨｉ用ＬＥＤ２が点灯し難い設定に変更する（ステップＳＴ１）。
その後、Ｌｏ用点灯スイッチ４とＨｉ用点灯スイッチ５が同時にＯＮされると、先ず、Ｌｏ用電圧入力部１４においてＬｏ入力電圧が通常のＬｏ点灯条件を満足したことを判定し（ステップＳＴ２“ＹＥＳ”）、点灯指示を制御部１３へ出力する。この点灯指示を受けた制御部１３が点灯制御を開始し、Ｌｏ用電圧変換部１１を操作してＬｏ用ＬＥＤ１を点灯する（ステップＳＴ３）。
【００２５】
Ｌｏ用ＬＥＤ１が点灯するまでの間、Ｈｉ用電圧入力部１５は難化したＨｉ点灯条件とＨｉ入力電圧とを比較する（ステップＳＴ５）。
Ｌｏ用ＬＥＤ１の点灯後、制御部１３の制御により、Ｈｉ用電圧入力部１５が難化したＨｉ点灯条件を通常の設定に戻す（ステップＳＴ４）。そして、Ｈｉ用電圧入力部１５においてＨｉ入力電圧が通常のＨｉ点灯条件を満足したことを判定し（ステップＳＴ５“ＹＥＳ”）、点灯指示を制御部１３へ出力する。この点灯指示を受けた制御部１３が点灯制御を開始し、Ｈｉ用電圧変換部１２を操作してＨｉ用ＬＥＤ２を点灯する（ステップＳＴ６）。
【００２６】
以上、ステップＳＴ１〜ＳＴ６の点灯シーケンスにより、先に点灯すべきＬｏ用ＬＥＤ１が点灯するまでは、Ｈｉ点灯条件が難化してＨｉ用ＬＥＤ２が点灯し難くなるので、Ｌｏ用ＬＥＤ１、Ｈｉ用ＬＥＤ２の順序で点灯することができる。
また、Ｌｏ用ＬＥＤ１の点灯後は、速やかにＨｉ点灯条件を通常の設定に戻すので、Ｈｉ用ＬＥＤ２の点灯判定をＬｏ用ＬＥＤ１と同じ仕様で実施することができる。従って、Ｌｏ用点灯スイッチ４とＨｉ用点灯スイッチ５がＯＮになりＬｏ用ＬＥＤ１が点灯した後に、電源３の電圧変動などによってＨｉ入力電圧が低下した場合でも、Ｌｏ用ＬＥＤ１と同じ仕様の範囲内でＨｉ用ＬＥＤ２を点灯でき、Ｌｏ用ＬＥＤ１だけ点灯してＨｉ用ＬＥＤ２が点灯しないという状況を防ぐことができる。
【００２７】
上記点灯シーケンスでは、Ｌｏ用点灯スイッチ４とＨｉ用点灯スイッチ５を同時にＯＮする場合を説明したが、Ｌｏ用点灯スイッチ４とＨｉ用点灯スイッチ５のいずれか一方をＯＮする場合あるいは別々のタイミングでＯＮする場合の制御も可能であり、ＯＮした点灯スイッチ側のＬＥＤが点灯し（ステップＳＴ２“ＹＥＳ”、ステップＳＴ５“ＹＥＳ”）、ＯＦＦの点灯スイッチ側のＬＥＤは消灯したままになる（ステップＳＴ２“ＮＯ”、ステップＳＴ５“ＮＯ”）。
【００２８】
続いて、消灯シーケンスを説明する。
Ｌｏ用ＬＥＤ１とＨｉ用ＬＥＤ２が両方点灯している場合、Ｌｏ用電圧入力部１４はＬｏ消灯条件をＬｏ用ＬＥＤ１が消灯し難い設定に変更する（ステップＳＴ７）。Ｈｉ用ＬＥＤ２が消灯している場合には（ステップＳＴ５“ＮＯ”）、Ｌｏ消灯条件を難化させる必要はない。
【００２９】
その後、Ｌｏ用点灯スイッチ４とＨｉ用点灯スイッチ５が同時にＯＦＦされると、先ず、Ｈｉ用電圧入力部１５においてＨｉ入力電圧が通常のＨｉ消灯条件を満足したことを判定し（ステップＳＴ８“ＹＥＳ”）、消灯指示を制御部１３へ出力する。この消灯指示を受けた制御部１３が消灯制御を開始し、Ｈｉ用電圧変換部１２を操作してＨｉ用ＬＥＤ２を消灯する（ステップＳＴ９）。
【００３０】
Ｈｉ用ＬＥＤ２が消灯するまでの間、Ｌｏ用電圧入力部１４は難化したＬｏ消灯条件とＬｏ入力電圧とを比較する（ステップＳＴ１１）。
Ｈｉ用ＬＥＤ２の消灯後、制御部１３の制御により、Ｌｏ用電圧入力部１４が難化したＬｏ消灯条件を通常の設定に戻す（ステップＳＴ１０）。そして、Ｌｏ用電圧入力部１４においてＬｏ入力電圧が通常のＬｏ消灯条件を満足したことを判定し（ステップＳＴ１１“ＹＥＳ”）、消灯指示を制御部１３へ出力する。この消灯指示を受けた制御部１３が消灯制御を開始し、Ｌｏ用電圧変換部１１を操作してＬｏ用ＬＥＤ１を消灯する（ステップＳＴ１２）。
【００３１】
以上、ステップＳＴ７〜ＳＴ１２の消灯シーケンスにより、先に消灯すべきＨｉ用ＬＥＤ２が消灯するまでは、Ｌｏ消灯条件が難化してＬｏ用ＬＥＤ１が消灯し難くなるので、Ｈｉ用ＬＥＤ２、Ｌｏ用ＬＥＤ１の順序で消灯することができる。
また、Ｈｉ用ＬＥＤ２の消灯後は、速やかにＬｏ消灯条件を通常の設定に戻すので、Ｈｉ用ＬＥＤ２の消灯判定をＬｏ用ＬＥＤ１と同じ仕様で実施することができる。従って、Ｌｏ用点灯スイッチ４とＨｉ用点灯スイッチ５がＯＦＦになりＨｉ用ＬＥＤ２が消灯した後に、電源３の電圧変動などによってＬｏ入力電圧が上昇した場合でも、Ｈｉ用ＬＥＤ２と同じ仕様でＬｏ用ＬＥＤ１を消灯でき、Ｈｉ用ＬＥＤ２だけ消灯してＬｏ用ＬＥＤ１が消灯しないという状況を防ぐことができる。
【００３２】
上記消灯シーケンスでは、Ｌｏ用点灯スイッチ４とＨｉ用点灯スイッチ５を同時にＯＦＦする場合を説明したが、Ｌｏ用点灯スイッチ４とＨｉ用点灯スイッチ５のいずれか一方をＯＦＦする場合あるいは別々のタイミングでＯＦＦする場合の制御も可能であり、ＯＦＦした点灯スイッチ側のＬＥＤが消灯し（ステップＳＴ８“ＹＥＳ”、ステップＳＴ１１“ＹＥＳ”）、ＯＮの点灯スイッチ側のＬＥＤは点灯したままになる（ステップＳＴ８“ＮＯ”、ステップＳＴ１１“ＮＯ”）。
【００３３】
次に、図３〜図５を参照して、点灯条件難化の具体例を説明する。ここでも、上記説明と同様に、Ｈｉ用ＬＥＤ２よりＬｏ用ＬＥＤ１を先に点灯する場合を例に説明する。
図３は、Ｈｉ用電圧入力部１５の構成例を示す図であり、Ｈｉ用電圧入力部１５がコンパレータ１５ａを有する。このコンパレータ１５ａの非反転入力端子には、電源３の電圧（即ち、Ｈｉ入力電圧）が入力され、反転入力端子には、第１の電圧（点灯判定閾値電圧）、およびこの第１の電圧より高い第３の電圧（難化した点灯判定閾値電圧）のいずれか一方の電圧が入力される。Ｈｉ入力電圧が第１の電圧以上または第３の電圧以上になると、コンパレータ１５ａから制御部１３へ点灯指示を出力する。
【００３４】
コンパレータ１５ａの第１の電圧と第３の電圧の切り替えは、制御部１３がＬｏ用ＬＥＤ１の点消灯の状態に応じてＨｉ用電圧入力部１５に含まれるＦＥＴなどのスイッチング素子を制御することにより行う。
【００３５】
他方、Ｌｏ用電圧入力部１４においては、図示しないコンパレータが、非反転入力端子に入力される電源３の電圧（即ち、Ｌｏ入力電圧）と、反転入力端子に入力される第１の電圧（点灯判定閾値電圧）とを比較して、Ｌｏ入力電圧が第１の電圧以上になると制御部１３へ点灯指示を出力する。
【００３６】
図４に、第３の電圧を用いたＨｉ点灯条件難化の点灯シーケンスのグラフを示す。グラフの縦軸は電圧、横軸は時間を表す。
第３の電圧（難化した点灯判定閾値電圧）は、第１の電圧（点灯判定閾値電圧）に見込まれる標準電圧からの公差の最大値以上を、第１の電圧に加算した電圧値とする。Ｈｉ用電圧入力部１５は、Ｌｏ用ＬＥＤ１の消灯中、図４に上矢印で示すように、Ｈｉ点灯条件を第１の電圧から第３の電圧に変更することにより、Ｈｉ点灯条件を難化させる。また、Ｈｉ用電圧入力部１５は、Ｌｏ用ＬＥＤ１の点灯中、図４の下矢印で示すように、第３の電圧を第１の電圧に戻す。
【００３７】
図５は、この第３の電圧を用いたＨｉ点灯条件難化の点灯シーケンスを説明するフローチャートである。
Ｌｏ用ＬＥＤ１とＨｉ用ＬＥＤ２が両方消灯している場合において、Ｈｉ用電圧入力部１５はコンパレータ１５ａの入力を、第１の電圧から第３の電圧に変更する（ステップＳＴ１ａ）。
その後、Ｌｏ用点灯スイッチ４とＨｉ用点灯スイッチ５が同時にＯＮされると、先ず、Ｌｏ用電圧入力部１４においてＬｏ入力電圧が第１の電圧以上になると（ステップＳＴ２ａ“ＹＥＳ”）、点灯指示を制御部１３へ出力してＬｏ用ＬＥＤ１を点灯する（ステップＳＴ３ａ）。
【００３８】
Ｌｏ用ＬＥＤ１が点灯するまでの間、Ｈｉ用電圧入力部１５のコンパレータ１５ａは第３の電圧とＨｉ入力電圧とを比較する（ステップＳＴ５ａ）。
Ｌｏ用ＬＥＤ１の点灯後、Ｈｉ用電圧入力部１５は第３の電圧を第１の電圧に戻す（ステップＳＴ４ａ）。そして、コンパレータ１５ａにおいてＨｉ入力電圧が第１の電圧以上になると（ステップＳＴ５ａ“ＹＥＳ”）、点灯指示を制御部１３へ出力してＨｉ用ＬＥＤ２を点灯する（ステップＳＴ６ａ）。
【００３９】
仮に、Ｌｏ用電圧入力部１４とＨｉ用電圧入力部１５に同じ第１の電圧を設定して入力電圧の判定を行うと、Ｌｏ用電圧入力部１４とＨｉ用電圧入力部１５のばらつきにより第１の電圧にばらつきが発生する。その場合、図４に示すように、Ｌｏ用ＬＥＤ１とＨｉ用ＬＥＤ２が両方消灯している状態で、Ｌｏ用点灯スイッチ４とＨｉ用点灯スイッチ５を同時にＯＮしたとしても、Ｌｏ用ＬＥＤ１より先にＨｉ用ＬＥＤ２が点灯してしまう。これに対して、図５の点灯シーケンスで説明したように、Ｌｏ用ＬＥＤ１の点灯状態に応じてＨｉ用電圧入力部１５の第１の電圧を点灯し難い第３の電圧に変更することで、Ｌｏ用ＬＥＤ１、Ｈｉ用ＬＥＤ２の順序で点灯することが期待できる。
【００４０】
また、Ｌｏ用ＬＥＤ１の点灯後は、Ｈｉ点灯条件を第３の電圧から第１の電圧に戻すので、Ｈｉ用ＬＥＤ２の点灯判定をＬｏ用ＬＥＤ１と同じ仕様で実施することができる。従って、Ｌｏ用点灯スイッチ４とＨｉ用点灯スイッチ５がＯＮになりＬｏ用ＬＥＤ１が点灯した後に、電源３の電圧変動などによってＨｉ入力電圧が低下した場合でも、Ｌｏ用ＬＥＤ１と同じ仕様でＨｉ用ＬＥＤ２を点灯でき、Ｌｏ用ＬＥＤ１だけ点灯してＨｉ用ＬＥＤ２が点灯しないという状況を防ぐことができる。
【００４１】
次に、図６〜図８を参照して、消灯条件難化の具体例を説明する。ここでも、これまでの説明と同様に、Ｈｉ用ＬＥＤ２より後にＬｏ用ＬＥＤ１を消灯する場合を例に説明する。
図６は、Ｌｏ用電圧入力部１４の構成例を示す図であり、Ｌｏ用電圧入力部１４がコンパレータ１４ａを有する。このコンパレータ１４ａの非反転入力端子には、電源３の電圧（即ち、Ｌｏ入力電圧）が入力され、反転入力端子には、第２の電圧（消灯判定閾値電圧）、およびこの第２の電圧より低い第４の電圧（難化した消灯判定閾値電圧）のいずれか一方の電圧が入力される。Ｌｏ入力電圧が第２の電圧以下または第４の電圧以下になると、コンパレータ１４ａから制御部１３へ消灯指示を出力する。
【００４２】
コンパレータ１４ａの第２の電圧と第４の電圧の切り替えは、制御部１３がＨｉ用ＬＥＤ２の点消灯の状態に応じてＬｏ用電圧入力部１４に含まれるＦＥＴなどのスイッチング素子を制御することにより行う。
【００４３】
他方、Ｈｉ用電圧入力部１５においては、図示しないコンパレータが、非反転入力端子に入力される電源３の電圧（即ち、Ｈｉ入力電圧）と、反転入力端子に入力される第２の電圧（消灯判定閾値電圧）とを比較して、Ｈｉ入力電圧が第２の電圧以下になると制御部１３へ消灯指示を出力する。
【００４４】
図７に、第４の電圧を用いたＬｏ消灯条件難化の消灯シーケンスのグラフを示す。グラフの縦軸は電圧、横軸は時間を表す。
第４の電圧（難化した消灯判定閾値電圧）は、第３の電圧に見込まれる標準電圧からの公差の最大値以上を、第２の電圧から減算した電圧値とする。Ｌｏ用電圧入力部１４は、Ｈｉ用ＬＥＤ２の点灯中、図７に下矢印で示すように、Ｌｏ消灯条件を第２の電圧から第４の電圧に変更することにより、Ｌｏ消灯条件を難化させる。また、Ｌｏ用電圧入力部１４は、Ｈｉ用ＬＥＤ２の消灯中、図７に上矢印で示すように、第４の電圧を第２の電圧に戻す。
【００４５】
図８は、この第４の電圧を用いたＬｏ消灯条件難化の消灯シーケンスを説明するフローチャートである。
Ｌｏ用ＬＥＤ１とＨｉ用ＬＥＤ２が両方点灯している場合において、Ｌｏ用電圧入力部１４はコンパレータ１４ａの入力を、第２の電圧から第４の電圧に変更する（ステップＳＴ７ａ）。
その後、Ｌｏ用点灯スイッチ４とＨｉ用点灯スイッチ５が同時にＯＦＦされると、先ず、Ｈｉ用電圧入力部１５においてＨｉ入力電圧が第２の電圧以下になると（ステップＳＴ８ａ“ＹＥＳ”）、消灯指示を制御部１３へ出力してＨｉ用ＬＥＤ２を消灯する（ステップＳＴ９ａ）。
【００４６】
Ｈｉ用ＬＥＤ２が消灯するまでの間、Ｌｏ用電圧入力部１４のコンパレータ１４ａは第４の電圧とＬｏ入力電圧とを比較する（ステップＳＴ１１ａ）。
Ｈｉ用ＬＥＤ２の消灯後、Ｌｏ用電圧入力部１４は第４の電圧を第２の電圧に戻す（ステップＳＴ１０ａ）。そして、コンパレータ１４ａにおいてＬｏ入力電圧が第２の電圧以下になると（ステップＳＴ１１ａ“ＹＥＳ”）、消灯指示を制御部１３へ出力してＬｏ用ＬＥＤ１を消灯する（ステップＳＴ１２ａ）。
【００４７】
仮に、Ｌｏ用電圧入力部１４とＨｉ用電圧入力部１５に同じ第２の電圧を設定して入力電圧の判定を行うと、Ｌｏ用電圧入力部１４とＨｉ用電圧入力部１５のばらつきにより第２の電圧にばらつきが発生する。その場合、図７に示すように、Ｌｏ用ＬＥＤ１とＨｉ用ＬＥＤ２が両方点灯している状態で、Ｌｏ用点灯スイッチ４とＨｉ用点灯スイッチ５を同時にＯＦＦしたとしても、Ｈｉ用ＬＥＤ２より先にＬｏ用ＬＥＤ１が消灯してしまう。これに対して、図８の消灯シーケンスで説明したように、Ｈｉ用ＬＥＤ２の点灯状態に応じてＬｏ用電圧入力部１４の第２の電圧を点灯し難い第４の電圧に変更することで、Ｈｉ用ＬＥＤ２、Ｌｏ用ＬＥＤ１の順序で消灯することが期待できる。
【００４８】
また、Ｈｉ用ＬＥＤ２の消灯後は、Ｌｏ消灯条件を第４の電圧から第２の電圧に戻すので、Ｌｏ用ＬＥＤ１の消灯判定をＨｉ用ＬＥＤ２と同じ仕様で実施することができる。従って、Ｌｏ用点灯スイッチ４とＨｉ用点灯スイッチ５がＯＦＦになりＨｉ用ＬＥＤ２が消灯した後に、電源３の電圧変動などによってＬｏ入力電圧が低下した場合でも、Ｈｉ用ＬＥＤ２と同じ仕様でＬｏ用ＬＥＤ１を消灯でき、Ｈｉ用ＬＥＤ２だけ消灯してＬｏ用ＬＥＤ１が消灯しないという状況を防ぐことができる。
【００４９】
図９は、図３〜図８の点灯シーケンスおよび消灯シーケンスにおける、Ｌｏ用ＬＥＤ１およびＨｉ用ＬＥＤ２の点消灯状態と閾値電圧との関係を示す表である。Ｌｏ用ＬＥＤ１とＨｉ用ＬＥＤ２が両方消灯しているときは、Ｈｉ点灯条件を第１の電圧から第３の電圧へ難化させ、Ｌｏ用ＬＥＤ１が点灯すると第１の電圧に戻す。他方、Ｌｏ用ＬＥＤ１とＨｉ用ＬＥＤ２が両方点灯しているときは、Ｌｏ消灯条件を第２の電圧から第４の電圧へ難化させ、Ｈｉ用ＬＥＤ２が消灯すると第２の電圧に戻す。
【００５０】
以上より、実施の形態１によれば、ＬＥＤ点灯装置１０は、Ｌｏ用ＬＥＤ１およびＨｉ用ＬＥＤ２の点灯用あるいは消灯用の信号として入力される電圧を検出するＬｏ用電圧入力部１４およびＨｉ用電圧入力部１５と、電源３に接続されて電源電圧を光源点灯用の電圧に変換するＬｏ用電圧変換部１１およびＨｉ用電圧変換部１２と、Ｌｏ用電圧入力部１４およびＨｉ用電圧入力部１５の検出した入力電圧を判断してＬｏ用電圧変換部１１およびＨｉ用電圧変換部１２の制御とＬｏ用ＬＥＤ１およびＨｉ用ＬＥＤ２の点灯および消灯制御を行う制御部１３とを備え、制御部１３は、Ｌｏ用ＬＥＤ１とＨｉ用ＬＥＤ２を同時に点灯する場合は、Ｌｏ用ＬＥＤ１の点灯制御を開始するまではＨｉ用ＬＥＤ２の点灯制御を行わず、Ｌｏ用ＬＥＤ１とＨｉ用ＬＥＤ２を同時に消灯する場合は、Ｈｉ用ＬＥＤ２の消灯制御を開始するまではＬｏ用ＬＥＤ１の消灯制御を行わないように構成した。
具体的には、制御部１３が、Ｌｏ入力電圧が第１の電圧以上になったときのＬｏ用電圧入力部１４の出力に応じてＬｏ用ＬＥＤ１を点灯させるようにＬｏ用電圧変換部１１を制御し、Ｈｉ入力電圧が第３の電圧以上になったときのＨｉ用電圧入力部１５の出力に応じてＨｉ用ＬＥＤ２を点灯させるようにＨｉ用電圧変換部１２を制御し、Ｈｉ入力電圧が第２の電圧以下になったときのＨｉ用電圧入力部１５の出力に応じてＨｉ用ＬＥＤ２を消灯させるようにＨｉ用電圧変換部１２を制御し、Ｌｏ入力電圧が第４の電圧以下になったときのＬｏ用電圧入力部１４の出力に応じてＬｏ用ＬＥＤ１を消灯させるようにＬｏ用電圧変換部１１を制御するように構成した。
このため、Ｌｏ用電圧入力部１４とＨｉ用電圧入力部１５にばらつきがあっても、Ｌｏ用ＬＥＤ１とＨｉ用ＬＥＤ２を同時に点灯する場合にはＬｏ用ＬＥＤ１が先に点灯し、Ｌｏ用ＬＥＤ１とＨｉ用ＬＥＤ２を同時に消灯する場合にはＬｏ用ＬＥＤ１が後に消灯するシーケンスを保つことができる。従って、車載灯具が有する複数の光源を一定の順序で点灯および消灯させるＬＥＤ点灯装置１０を提供することができる。
【００５１】
また、実施の形態１によれば、制御部１３は、Ｌｏ用ＬＥＤ１が消灯している状態では、Ｈｉ入力電圧が第３の電圧以上になったときのＨｉ用電圧入力部１５の出力に応じてＨｉ用ＬＥＤ２を点灯させるようにＨｉ用電圧変換部１２を制御し、Ｌｏ用ＬＥＤ１の点灯制御を開始した後は、第３の電圧を第１の電圧に変更して、Ｈｉ入力電圧が第１の電圧以上になったときのＨｉ用電圧入力部１５の出力に応じてＨｉ用ＬＥＤ２を点灯させるようにＨｉ用電圧変換部１２を制御するように構成した。このため、Ｌｏ用ＬＥＤ１とＨｉ用ＬＥＤ２の点灯の判定に同じ第１の電圧を用いることができるため、電源３の電圧変動があっても仕様の範囲内でＬｏ用ＬＥＤ１とＨｉ用ＬＥＤ２を点灯することができる。
【００５２】
また、実施の形態１によれば、制御部１３は、Ｈｉ用ＬＥＤ２が点灯している状態では、Ｌｏ入力電圧が第４の電圧以下になったときのＬｏ用電圧入力部１４の出力に応じてＬｏ用ＬＥＤ１を消灯させるようにＬｏ用電圧変換部１１を制御し、Ｈｉ用ＬＥＤ２の消灯制御を開始した後は、第４の電圧を第２の電圧に変更して、Ｌｏ入力電圧が第２の電圧以下になったときのＬｏ用電圧入力部１４の出力に応じてＬｏ用ＬＥＤ１を消灯させるようにＬｏ用電圧変換部１１を制御するように構成した。このため、Ｌｏ用ＬＥＤ１とＨｉ用ＬＥＤ２の消灯の判定に同じ第２の電圧を用いることができるため、電源３の電圧変動があっても仕様の範囲内でＬｏ用ＬＥＤ１とＨｉ用ＬＥＤ２を消灯することができる。
【００５３】
実施の形態２．
図１０は、本実施の形態２に係るＬＥＤ点灯装置１０の構成を示す回路図であり、新たに、制御部１３にタイマ２０を備える。なお、図１０において図１と同一または相当の部分については同一の符号を付し説明を省略する。タイマ２０は、Ｈｉ用電圧入力部１５から制御部１３へ点灯指示が入力された時点から所定時間を計時する。また、このタイマ２０は、Ｌｏ用電圧入力部１４から制御部１３へ消灯指示が入力された時点から所定時間を計時する。
【００５４】
本実施の形態２の制御部１３は、Ｈｉ用電圧入力部１５から点灯指示が入力された時点からタイマ２０でカウントを開始し、所定時間が経過した後に点灯制御を開始し、Ｈｉ用電圧変換部１２を操作してＨｉ用ＬＥＤ２を点灯する。また、制御部１３は、Ｌｏ用電圧入力部１４から消灯指示が入力された時点からタイマ２０でカウントを開始し、所定時間が経過した後に消灯制御を開始し、Ｌｏ用電圧変換部１１を操作してＬｏ用ＬＥＤ１を消灯する。
所定時間は、閾値電圧（第１の電圧、第２の電圧）に見込まれる公差の最大値と最小値の電圧差を入力電圧が遷移する時間以上に設定する。具体的には、点灯時は、入力電圧が、点灯判定閾値電圧のマイナス公差最大時の電圧からプラス公差最大時の電圧に遷移するまでに必要な時間以上の時間を所定時間とする。消灯時は、入力電圧が、消灯判定閾値電圧のプラス公差最大時の電圧からマイナス公差最大時の電圧に遷移するまでに必要な時間以上の時間を所定時間とする。
【００５５】
図１１は、本実施の形態２に係るＬＥＤ点灯装置１０のＬｏ用電圧入力部１４およびＨｉ用電圧入力部１５の構成例を示す図である。なお、図１１において図３と同一または相当の部分については同一の符号を付し説明を省略する。
本実施の形態２では、Ｌｏ用ＬＥＤ１が消灯しているとき、コンパレータ１４ａの反転入力端子に第１の電圧（点灯判定閾値電圧）が入力され、非反転入力端子に入力されるＬｏ入力電圧が第１の電圧以上になると点灯指示を制御部１３へ出力する。一方、Ｌｏ用ＬＥＤ１が点灯しているとき、コンパレータ１４ａの反転入力端子に第２の電圧（消灯判定閾値電圧）が入力され、非反転入力端子に入力されるＬｏ入力電圧が第２の電圧以下になると消灯指示を制御部１３へ出力する。
【００５６】
Ｈｉ用電圧入力部１５のコンパレータ１５ａも、Ｌｏ用電圧入力部１４のコンパレータ１４ａと同様に構成されている。即ち、Ｈｉ用ＬＥＤ２が消灯しているとき、コンパレータ１５ａの反転入力端子に第１の電圧（点灯判定閾値電圧）が入力され、非反転入力端子に入力されるＨｉ入力電圧が第１の電圧以上になると点灯指示を制御部１３へ出力する。一方、Ｈｉ用ＬＥＤ２が点灯しているとき、コンパレータ１５ａの反転入力端子に第１の電圧より低い第２の電圧（消灯判定閾値電圧）が入力され、非反転入力端子に入力されるＨｉ入力電圧が第２の電圧以下になると消灯指示を制御部１３へ出力する。
【００５７】
コンパレータ１４ａおよびコンパレータ１５ａの第１の電圧と第２の電圧の切り替えは、制御部１３がＬｏ用ＬＥＤ１およびＨｉ用ＬＥＤ２の点消灯の状態に応じてＬｏ用電圧入力部１４およびＨｉ用電圧入力部１５に含まれるＦＥＴなどのスイッチング素子を制御することにより行う。
【００５８】
先ず、点灯シーケンスから説明し、次に消灯シーケンスを説明する。
図１２に、本実施の形態２の点灯シーケンスのグラフを示す。図１２（ａ）のグラフの縦軸は電圧、横軸は時間を表す。図１２（ｂ）のグラフの縦軸は点消灯状態、横軸は時間を表す。また、図１３に、この点灯シーケンスを説明するフローチャートを示す。
Ｌｏ用ＬＥＤ１とＨｉ用ＬＥＤ２が両方消灯している場合において、Ｈｉ用電圧入力部１５のコンパレータ１５ａがＨｉ入力電圧と第１の電圧を比較し、Ｈｉ入力電圧が第１の電圧未満の場合（ステップＳＴ２１“ＮＯ”）、続いてＬｏ用電圧入力部１４のコンパレータ１４ａがＬｏ入力電圧と第１の電圧を比較する（ステップＳＴ２４）。
【００５９】
一方、Ｈｉ入力電圧が第１の電圧以上の場合（ステップＳＴ２１“ＹＥＳ”）、コンパレータ１５ａから制御部１３へ、Ｈｉ用ＬＥＤ２の点灯指示を出力する。制御部１３は、点灯指示が入力された時点からタイマ２０のカウントを開始し、所定時間が経過すると（ステップＳＴ２２“ＹＥＳ”），Ｈｉ用電圧変換部１２を操作してＨｉ用ＬＥＤ２を点灯する（ステップＳＴ２３）。
【００６０】
この所定時間が経過するまでに（ステップＳＴ２２“ＮＯ”）、Ｌｏ用電圧入力部１４のコンパレータ１４ａにおいて、Ｌｏ入力電圧が第１の電圧以上になると（ステップＳＴ２４“ＹＥＳ”）、Ｌｏ用ＬＥＤ１の点灯指示を制御部１３へ出力する。制御部１３は、点灯指示が入力されると速やかにＬｏ用電圧変換部１１を操作してＬｏ用ＬＥＤ１を点灯する（ステップＳＴ２５）。
【００６１】
仮に、Ｌｏ用電圧入力部１４とＨｉ用電圧入力部１５に同じ第１の電圧を設定して入力電圧の判定を行うと、Ｌｏ用電圧入力部１４とＨｉ用電圧入力部１５のばらつきにより第１の電圧にばらつきが発生する。Ｌｏ用ＬＥＤ１の第１の電圧がＨｉ用ＬＥＤ２の第１の電圧に比べて低い側にばらついた場合、図１２に示すように、Ｌｏ用ＬＥＤ１とＨｉ用ＬＥＤ２が両方消灯している状態で、Ｌｏ用点灯スイッチ４とＨｉ用点灯スイッチ５を同時にＯＮしたとしても、Ｌｏ用ＬＥＤ１より先にＨｉ用ＬＥＤ２が点灯してしまう。これに対して、図１３の点灯シーケンスで説明したように、Ｈｉ用ＬＥＤ２のＨｉ入力電圧が上昇して先に第１の電圧に到達した場合でも、所定時間経過前にＬｏ用ＬＥＤ１のＬｏ入力電圧が第１の電圧に到達すれば、Ｌｏ用ＬＥＤ１から先に点灯することが期待できる。
【００６２】
次に、消灯シーケンスを説明する。
図１４に、本実施の形態２の消灯シーケンスのグラフを示す。図１４（ａ）のグラフの縦軸は電圧、横軸は時間を表す。図１４（ｂ）のグラフの縦軸は点消灯状態、横軸は時間を表す。また、図１５に、この消灯シーケンスを説明するフローチャートを示す。
Ｌｏ用ＬＥＤ１とＨｉ用ＬＥＤ２が両方点灯している場合において、Ｌｏ用電圧入力部１４のコンパレータ１４ａがＬｏ入力電圧と第２の電圧を比較し、Ｌｏ入力電圧が第２の電圧未満の場合（ステップＳＴ２６“ＮＯ”）、続いてＨｉ用電圧入力部１５のコンパレータ１５ａがＨｉ入力電圧と第２の電圧を比較する（ステップＳＴ２９）。
【００６３】
一方、Ｌｏ入力電圧が第２の電圧以下の場合（ステップＳＴ２６“ＹＥＳ”）、コンパレータ１４ａから制御部１３へ、Ｌｏ用ＬＥＤ１の消灯指示を出力する。制御部１３は、消灯指示が入力された時点からタイマ２０のカウントを開始し、所定時間が経過すると（ステップＳＴ２７“ＹＥＳ”）、Ｌｏ用電圧変換部１１を操作してＬｏ用ＬＥＤ１を消灯する（ステップＳＴ２８）。
【００６４】
この所定時間が経過するまでに（ステップＳＴ２７“ＮＯ”）、Ｈｉ用電圧入力部１５のコンパレータ１５ａにおいて、Ｈｉ入力電圧が第２の電圧以下になると（ステップＳＴ２９“ＹＥＳ”）、Ｈｉ用ＬＥＤ２の消灯指示を制御部１３へ出力する。制御部１３は、消灯指示が入力されると速やかにＨｉ用電圧変換部１２を操作してＨｉ用ＬＥＤ２を消灯する（ステップＳＴ３０）。
【００６５】
仮に、Ｌｏ用電圧入力部１４とＨｉ用電圧入力部１５に同じ第２の電圧を設定して入力判定を行うと、Ｌｏ用電圧入力部１４とＨｉ用電圧入力部１５のばらつきにより第２の電圧にばらつきが発生する。Ｈｉ用ＬＥＤ２の第２の電圧がＬｏ用ＬＥＤ１の第２の電圧に比べて高い側にばらついた場合、図１４に示すように、Ｌｏ用ＬＥＤ１とＨｉ用ＬＥＤ２が両方点灯している状態で、Ｌｏ用点灯スイッチ４とＨｉ用点灯スイッチ５を同時にＯＦＦしたとしても、Ｈｉ用ＬＥＤ２より先にＬｏ用ＬＥＤ１が消灯してしまう。これに対して、図１５の消灯シーケンスで説明したように、Ｌｏ用ＬＥＤ１のＬｏ入力電圧が降下して先に第２の電圧に到達した場合でも、所定時間経過前にＨｉ用ＬＥＤ２のＨｉ入力電圧が第２の電圧に到達すれば、Ｈｉ用ＬＥＤ２から先に消灯することが期待できる。
【００６６】
以上より、実施の形態２によれば、制御部１３は、Ｌｏ入力電圧が第１の電圧以上になったときのＬｏ用電圧入力部１４の出力に応じてＬｏ用ＬＥＤ１を点灯させるようにＬｏ用電圧変換部１１を制御し、Ｈｉ入力電圧が第１の電圧以上になったときのＨｉ用電圧入力部１５の出力から所定時間の経過後にＨｉ用ＬＥＤ２を点灯するようにＨｉ用電圧変換部１２を制御する構成にした。このため、Ｌｏ用電圧入力部１４とＨｉ用電圧入力部１５にばらつきがあっても、Ｌｏ用点灯スイッチ４とＨｉ用点灯スイッチ５が同時にＯＮした場合にＬｏ用ＬＥＤ１、Ｈｉ用ＬＥＤ２の順序で点灯することが期待できる。
また、上記実施の形態１の図４および図５に示した点灯シーケンスと比べ、複数の閾値（第１の電圧および第３の電圧）を設定する必要がなく、Ｈｉ用ＬＥＤ２単独で点灯する場合においても常に仕様を満たす閾値電圧での点灯が可能である。
【００６７】
また、実施の形態２によれば、制御部１３は、Ｈｉ入力電圧が第２の電圧以下になったときのＨｉ用電圧入力部１５の出力に応じてＨｉ用ＬＥＤ２を消灯するようにＨｉ用電圧変換部１２を制御し、Ｌｏ入力電圧が第２の電圧以下になったときのＬｏ用電圧入力部１４の出力から所定時間の経過後にＬｏ用ＬＥＤ１を消灯するようにＬｏ用電圧変換部１１を制御する構成にした。このため、Ｌｏ用電圧入力部１４とＨｉ用電圧入力部１５にばらつきがあっても、Ｌｏ用点灯スイッチ４とＨｉ用点灯スイッチ５が同時にＯＦＦした場合にＨｉ用ＬＥＤ２、Ｌｏ用ＬＥＤ１の順序で消灯することが期待できる。
また、上記実施の形態１の図７および図８に示した消灯シーケンスと比べ、複数の閾値（第２の電圧および第４の電圧）を設定する必要がなく、Ｌｏ用ＬＥＤ１単独で消灯（Ｈｉ用ＬＥＤ２の点灯のみ維持）する場合においても、常に仕様を満たす閾値電圧での消灯が可能である。
【００６８】
実施の形態３．
図１６は、本実施の形態３に係るＬＥＤ点灯装置１０の構成を示す回路図であり、新たに、制御部１３にタイマ２１，２２を備える。なお、図１６において図１および図１０と同一または相当の部分については同一の符号を付し説明を省略する。また、Ｌｏ用電圧入力部１４およびＨｉ用電圧入力部１５の内部構成は、図１１のＬｏ用電圧入力部１４およびＨｉ用電圧入力部１５と同様のため、以下では図１１を援用して説明する。
【００６９】
タイマ２１は、Ｌｏ用電圧入力部１４から制御部１３へ点灯指示が入力された時点から、またはＨｉ用電圧入力部１５から制御部１３へ消灯指示が入力された時点から、所定の第１の時間を計時する。一方、タイマ２２は、Ｈｉ用電圧入力部１５から制御部１３へ点灯指示が入力された時点から、またはＬｏ用電圧入力部１４から制御部１３へ消灯指示が入力された時点から、第１の時間より長い所定の第２の時間を計時する。
第１の時間は、入力電圧に含まれるノイズおよびチャタリングの影響を受けずに点灯指示を安定して出力するために必要な判定時間とする。第２の時間は、第１の時間に、閾値電圧（第１の電圧、第２の電圧）に見込まれる公差の最大値と最小値の電圧差を入力電圧が遷移する時間を加算した時間とする。
【００７０】
本実施の形態３の制御部１３は、Ｌｏ用電圧入力部１４から点灯指示が入力された時点からタイマ２１でカウントを開始し、第１の時間が経過した後に点灯制御を開始し、Ｌｏ用電圧変換部１１を操作してＬｏ用ＬＥＤ１を点灯する。また、制御部１３は、Ｌｏ用電圧入力部１４から消灯指示が入力された時点からタイマ２２でカウントを開始し、第２の時間が経過した後に消灯制御を開始し、Ｌｏ用電圧変換部１１を操作してＬｏ用ＬＥＤ１を消灯する。
【００７１】
さらに、制御部１３は、Ｈｉ用電圧入力部１５から点灯指示が入力された時点からタイマ２２でカウントを開始し、第２の時間が経過した後に点灯制御を開始し、Ｈｉ用電圧変換部１２を操作してＨｉ用ＬＥＤ２を点灯する。また、制御部１３は、Ｈｉ用電圧入力部１５から消灯指示が入力された時点からタイマ２１でカウントを開始し、第１の時間が経過した後に消灯制御を開始し、Ｈｉ用電圧変換部１２を操作してＨｉ用ＬＥＤ２を消灯する。
【００７２】
先ず、点灯シーケンスから説明し、次に消灯シーケンスを説明する。
図１７に、本実施の形態３の点灯シーケンスのグラフを示す。図１７（ａ）のグラフの縦軸は電圧、横軸は時間を表す。図１７（ｂ）のグラフの縦軸は点消灯状態、横軸は時間を表す。また、図１８に、この点灯シーケンスを説明するフローチャートを示す。
Ｌｏ用ＬＥＤ１とＨｉ用ＬＥＤ２が両方消灯している場合において、Ｌｏ用電圧入力部１４のコンパレータ１４ａがＬｏ入力電圧と第１の電圧（点灯判定閾値電圧）を比較し、Ｌｏ入力電圧が第１の電圧未満の場合（ステップＳＴ３１“ＮＯ”）、続いてＨｉ用電圧入力部１５のコンパレータ１５ａがＨｉ入力電圧と第１の電圧を比較する（ステップＳＴ３４）。
【００７３】
一方、Ｌｏ入力電圧が第１の電圧以上の場合（ステップＳＴ３１“ＹＥＳ”）、コンパレータ１４ａから制御部１３へ、Ｌｏ用ＬＥＤ１の点灯指示を出力する。制御部１３は、点灯指示が入力された時点からタイマ２１のカウントを開始し、第１の時間が経過すると（ステップＳＴ３２“ＹＥＳ”）、Ｌｏ用電圧変換部１１を操作してＬｏ用ＬＥＤ１を点灯する（ステップＳＴ３３）。
【００７４】
この第１の時間が経過するまでに（ステップＳＴ３２“ＮＯ”）、Ｈｉ用電圧入力部１５のコンパレータ１５ａにおいて、Ｈｉ入力電圧が第１の電圧以上になると（ステップＳＴ３４“ＹＥＳ”）、Ｈｉ用ＬＥＤ２の点灯指示を制御部１３へ出力する。制御部１３は、点灯指示が入力された時点からタイマ２２のカウントを開始し、第２の時間が経過すると（ステップＳＴ３５“ＹＥＳ”）、Ｈｉ用電圧変換部１２を操作してＨｉ用ＬＥＤ２を点灯する（ステップＳＴ３６）。
【００７５】
Ｈｉ用ＬＥＤ２は、Ｈｉ入力電圧が第１の電圧に到達するまで（ステップＳＴ３４“ＮＯ”）、または第２の時間が経過するまで（ステップＳＴ３５“ＮＯ”）、点灯しない。
【００７６】
仮に、Ｌｏ用電圧入力部１４とＨｉ用電圧入力部１５に同じ第１の電圧を設定して入力電圧の判定を行うと、Ｌｏ用電圧入力部１４とＨｉ用電圧入力部１５のばらつきにより第１の電圧にばらつきが発生する。Ｌｏ用電圧入力部１４の第１の電圧がＨｉ用電圧入力部１５の第１の電圧に比べて低い側にばらついた場合、図１７に示すように、Ｌｏ用ＬＥＤ１とＨｉ用ＬＥＤ２が両方消灯している状態で、Ｌｏ用点灯スイッチ４とＨｉ用点灯スイッチ５を同時にＯＮしたとしても、Ｌｏ用ＬＥＤ１より先にＨｉ用ＬＥＤ２が点灯してしまう。これに対して、図１８の点灯シーケンスで説明したように、Ｈｉ用ＬＥＤ２のＨｉ入力電圧が上昇して先に第１の電圧に到達した場合でも、第１の時間と第２の時間の差分内の遅れでＬｏ用ＬＥＤ１のＬｏ入力電圧が第１の電圧に到達すれば、Ｌｏ用ＬＥＤ１から先に点灯することが期待できる。
【００７７】
次に、消灯シーケンスを説明する。
図１９に、本実施の形態３の消灯シーケンスのグラフを示す。図１９（ａ）のグラフの縦軸は電圧、横軸は時間を表す。図１９（ｂ）のグラフの縦軸は点消灯状態、横軸は時間を表す。また、図２０に、この消灯シーケンスを説明するフローチャートを示す。
Ｌｏ用ＬＥＤ１とＨｉ用ＬＥＤ２が両方点灯している場合において、Ｈｉ用電圧入力部１５のコンパレータ１５ａがＨｉ入力電圧と第２の電圧（消灯判定閾値電圧）を比較し、Ｈｉ入力電圧が第２の電圧より大きい場合（ステップＳＴ３７“ＮＯ”）、続いてＬｏ用電圧入力部１４のコンパレータ１４ａがＬｏ入力電圧と第１の電圧を比較する（ステップＳＴ４０）。
【００７８】
一方、Ｈｉ入力電圧が第２の電圧以下の場合（ステップＳＴ３７“ＹＥＳ”）、コンパレータ１５ａから制御部１３へ、Ｈｉ用ＬＥＤ２の消灯指示を出力する。制御部１３は、消灯指示が入力された時点からタイマ２０のカウントを開始し、第１の時間が経過すると（ステップＳＴ３８“ＹＥＳ”）、Ｈｉ用電圧変換部１２を操作してＨｉ用ＬＥＤ２を消灯する（ステップＳＴ３９）。
【００７９】
この第１の時間が経過するまでに（ステップＳＴ３８“ＮＯ”）、Ｌｏ用電圧入力部１４のコンパレータ１４ａにおいて、Ｌｏ入力電圧が第２の電圧以下になると（ステップＳＴ４０“ＹＥＳ”）。Ｌｏ用ＬＥＤ１の消灯指示を制御部１３へ出力する。制御部１３は、消灯指示が入力された時点からタイマ２２のカウントを開始し、第２の時間が経過すると（ステップＳＴ４１“ＹＥＳ”）、Ｌｏ用電圧変換部１１を操作してＬｏ用ＬＥＤ１を消灯する（ステップＳＴ４２）。
【００８０】
Ｌｏ用ＬＥＤ１は、Ｌｏ入力電圧が第２の電圧に到達するまで（ステップＳＴ４０“ＮＯ”）、または第２の時間が経過するまで（ステップＳＴ４１“ＮＯ”）、消灯しない。
【００８１】
仮に、Ｌｏ用電圧入力部１４とＨｉ用電圧入力部１５に同じ第２の電圧を設定して入力電圧の判定を行うと、Ｌｏ用電圧入力部１４とＨｉ用電圧入力部１５のばらつきにより第２の電圧にばらつきが発生する。Ｈｉ用電圧入力部１５の第２の電圧がＬｏ用電圧入力部１４の第２の電圧に比べて高い側にばらついた場合、図１９に示すように、Ｌｏ用ＬＥＤ１とＨｉ用ＬＥＤ２が両方点灯している状態で、Ｌｏ用点灯スイッチ４とＨｉ用点灯スイッチ５を同時にＯＦＦしたとしても、Ｈｉ用ＬＥＤ２より先にＬｏ用ＬＥＤ１が消灯してしまう。これに対して、図２０の消灯シーケンスで説明したように、Ｌｏ用ＬＥＤ１のＬｏ入力電圧が降下して先に第２の電圧に到達した場合でも、第１の時間と第２の時間の差分内の遅れでＨｉ用ＬＥＤ２のＨｉ入力電圧が第２の電圧に到達すれば、Ｌｏ用ＬＥＤ１から先に消灯することが期待できる。
【００８２】
以上より、実施の形態３によれば、制御部１３は、Ｌｏ入力電圧が第１の電圧以上になったときのＬｏ用電圧入力部１４の出力から第１の時間経過後にＬｏ用ＬＥＤ１を点灯するようにＬｏ用電圧変換部１１を制御し、Ｈｉ入力電圧が第１の電圧以上になったときのＨｉ用電圧入力部１５の出力から第２の時間経過後にＨｉ用ＬＥＤ２を点灯するようにＨｉ用電圧変換部１２を制御する構成にした。このため、Ｌｏ用電圧入力部１４とＨｉ用電圧入力部１５にばらつきがあっても、Ｌｏ用点灯スイッチ４とＨｉ用点灯スイッチ５を同時にＯＮした場合にＬｏ用ＬＥＤ１、Ｈｉ用ＬＥＤ２の順序で点灯することが期待できる。
また、上記実施の形態１の図４および図５に示した点灯シーケンスに比べ、複数の閾値（第１の電圧および第３の電圧）を設定する必要がなく、Ｈｉ用ＬＥＤ２単独で点灯する場合においても常に仕様を満たす閾値電圧での点灯が可能である。
【００８３】
さらに、上記実施の形態２においてはＬｏ用ＬＥＤ１の点灯時にはＬｏ入力電圧が点灯判定閾値電圧に到達後、即点灯するシーケンスとなっているため（図１２および図１３）、Ｌｏ入力電圧が点灯判定閾値電圧と消灯判定閾値電圧の間で変動した場合、Ｌｏ用ＬＥＤ１が点灯と消灯を繰り返す可能性があった。一方、実施の形態３において、Ｌｏ用ＬＥＤ１の点灯時にＬｏ入力電圧が点灯判定閾値電圧に到達後（図１８のステップＳＴ３１“ＹＥＳ”）、第１の時間経過後（ステップＳＴ３２“ＹＥＳ”，ＳＴ３３）にも閾値電圧以上を維持しているかどうかを判断するようにして、維持している場合に点灯する構成にすれば、Ｌｏ入力電圧に含まれるノイズおよびチャタリングなどの影響を受け難くなる。同様に、Ｈｉ入力電圧も第１の時間より長い第２の時間経過後にも閾値電圧以上を維持している場合に点灯する構成にすれば、Ｈｉ入力電圧に含まれるノイズおよびチャタリングなどの影響を受け難くなる。
【００８４】
また、実施の形態３によれば、制御部１３は、Ｈｉ入力電圧が第２の電圧以下になったときのＨｉ用電圧入力部１５の出力から第１の時間経過後にＨｉ用ＬＥＤ２を消灯するようにＨｉ用電圧変換部１２を制御し、Ｌｏ入力電圧が第２の電圧以下になったときのＬｏ用電圧入力部１４の出力から第２の時間経過後にＬｏ用ＬＥＤ１を消灯するようにＬｏ用電圧変換部１１を制御する構成にした。このため、Ｌｏ用電圧入力部１４とＨｉ用電圧入力部１５にばらつきがあっても、Ｌｏ用点灯スイッチ４とＨｉ用点灯スイッチ５を同時にＯＦＦした場合にＨｉ用ＬＥＤ２、Ｌｏ用ＬＥＤ１の順序で消灯することが期待できる。
また、上記実施の形態１の図７および図８に示した消灯シーケンスと比べ、複数の閾値（第２の電圧および第４の電圧）を設定する必要がなく、Ｌｏ用ＬＥＤ１単独で消灯（Ｈｉ用ＬＥＤ２の点灯のみ維持）する場合においても、常に仕様を満たす閾値電圧での消灯が可能である。
【００８５】
さらに、上記実施の形態２においてはＨｉ用ＬＥＤ２の消灯時にはＨｉ入力電圧が消灯判定閾値電圧に到達後、即消灯するシーケンスとなっているため（図１４および図１５）、Ｈｉ入力電圧が点灯判定閾値電圧と消灯判定閾値電圧の間で変動した場合、Ｈｉ用ＬＥＤ２が点灯と消灯を繰り返す可能性があった。一方、実施の形態３においてはＨｉ用ＬＥＤ２の消灯時にＨｉ入力電圧が消灯判定閾値電圧に到達後（図２０のステップＳＴ３７“ＹＥＳ”）、第１の時間経過後（ステップＳＴ３８“ＹＥＳ”）、ＳＴ３９にも閾値電圧以下を維持しているかどうかを判断するようにして、維持している場合に消灯する構成にすれば、Ｈｉ入力電圧に含まれるノイズおよびチャタリングなどの影響を受け難くなる。同様に、Ｌｏ入力電圧も第１の時間より長い第２の時間経過後にも閾値電圧以下を維持している場合に消灯する構成にすれば、Ｈｉ入力電圧に含まれるノイズおよびチャタリングなどの影響を受け難くなる。
【００８６】
実施の形態４．
図２１は、本実施の形態４に係るＬＥＤ点灯装置１０の構成を示す回路図であり、制御部１３はＣＰＵ３０を使用して構成されている。また、このＣＰＵ３０は、不揮発性の記憶素子３１と、外部機器１００との間で通信を行う通信部３２と、Ｌｏ入力電圧をアナログ・デジタル変換するＡＤコンバータ３３と、Ｈｉ入力電圧をアナログ・デジタル変換するＡＤコンバータ３４とを備えている。なお、図２１において図１、図１０および図１６と同一または相当の部分については同一の符号を付し説明を省略する。
【００８７】
図２１に示すＬＥＤ点灯装置１０を用いて、例えば、上記実施の形態１の図４および図５に示す点灯シーケンスを実施する場合、制御部１３は、記憶素子３１に記憶されている第１の電圧または第３の電圧と、ＡＤコンバータ３３から入力されるＬｏ入力電圧またはＡＤコンバータ３４から入力されるＨｉ入力電圧とを比較し、比較結果に基づいてＬｏ用電圧変換部１１およびＨｉ用電圧変換部１２を操作することによってＬｏ用ＬＥＤ１およびＨｉ用ＬＥＤ２の点灯制御を行う。
【００８８】
一方、上記実施の形態１の図７および図８に示す消灯シーケンスを実施する場合、制御部１３は、記憶素子３１に記憶されている第２の電圧または第４の電圧と、ＡＤコンバータ３３から入力されるＬｏ入力電圧またはＡＤコンバータ３４から入力されるＨｉ入力電圧とを比較し、比較結果に基づいてＬｏ用電圧変換部１１およびＨｉ用電圧変換部１２を操作することによってＬｏ用ＬＥＤ１およびＨｉ用ＬＥＤ２の消灯制御を行う。
【００８９】
また例えば、図２１に示すＬＥＤ点灯装置１０を用いて上記実施の形態２の図１２および図１３に示す点灯シーケンス、ならびに図１４および図１５に示す消灯シーケンスを実施する場合、制御部１３は、記憶素子３１に記憶さている第１の電圧、第２の電圧および所定時間、ならびにＡＤコンバータ３３，３４から入力されるＬｏ入力電圧およびＨｉ入力電圧を使用して、Ｌｏ用ＬＥＤ１およびＨｉ用ＬＥＤ２の点消灯制御を行う。
【００９０】
また例えば、図２１に示すＬＥＤ点灯装置１０を用いて上記実施の形態３の図１７および図１８に示す点灯シーケンス、ならびに図１９および図２０に示す消灯シーケンスを実施する場合、制御部１３は、記憶素子３１に記憶されている第１の電圧、第２の電圧、第１の時間および第２の時間、ならびにＡＤコンバータ３３，３４から入力されるＬｏ入力電圧およびＨｉ入力電圧を使用して、Ｌｏ用ＬＥＤ１およびＨｉ用ＬＥＤ２の点消灯制御を行う。
【００９１】
なお、記憶素子３１に記憶されている第１〜第４の電圧、所定時間、第１の時間および第２の時間の情報は、通信部３２が外部機器１００から取得して変更可能である。例えば、ＬＥＤ点灯装置１０が使用されていない状態（生産ラインにおける検査工程など）において、通信部３２がこれらの情報を外部機器１００から取得して記憶素子３１の書き換えを行う。
【００９２】
以上より、実施の形態４によれば、制御部１３は、ＣＰＵ３０を用いて構成され、このＣＰＵ３０は、Ｌｏ用ＬＥＤ１とＨｉ用ＬＥＤ２の点消灯を制御するための第１〜第４の電圧、所定時間、第１の時間、および第２の時間のうちの少なくとも１以上の情報を記憶する記憶素子３１と、記憶素子３１の情報を外部機器１００から取得する通信部３２とを有するように構成した。このため、ＬＥＤ点灯装置１０ごとに個別の値を設定することができ、Ｌｏ用電圧入力部１４およびＨｉ用電圧入力部１５のばらつきに応じた閾値電圧の調整を容易に行うことが可能となる。
【００９３】
実施の形態５．
上記実施の形態１〜４のＬＥＤ点灯装置１０は、先に点灯し後に消灯する第１の光源として前照灯のＬｏ用ＬＥＤ１を、後に点灯し先に消灯する第２の光源（第１の光源以外の光源）としてＨｉ用ＬＥＤ２を点消灯する構成であったが、前照灯以外の車載灯具にも適用可能である。本実施の形態５では、ＬＥＤ点灯装置１０の適用例を説明する。
【００９４】
図２２は、車両前部に搭載されたＤＲＬ（Ｄａｙ  ｔｉｍｅ  Ｒｕｎｎｉｎｇ  Ｌｉｇｈｔ）４１、車幅灯４２、およびフォグランプ４３（図中のＦＯＧ）の点消灯状態を説明する図である。これら光源のうち、先に点灯し後に消灯する第１の光源をＤＲＬ４１とし、後に点灯し先に消灯する第２の光源を車幅灯４２およびフォグランプ４３とする。また、図中、消灯している光源を黒色で表し、点灯している光源を白色で表す。
ＤＲＬ４１、車幅灯４２およびフォグランプ４３が消灯している全消灯状態において、ＤＲＬ４１が車幅灯４２およびフォグランプ４３と同時にＯＮされた場合、ＬＥＤ点灯装置１０がＤＲＬ４１を最も早く点灯し（過渡状態）、そのあと車幅灯４２およびフォグランプ４３を点灯して全点灯状態にする。
全点灯状態において、ＤＲＬ４１が車幅灯４２およびフォグランプ４３と同時にＯＦＦされた場合、ＬＥＤ点灯装置１０は先に車幅灯４２およびフォグランプ４３を消灯し（過渡状態）、ＤＲＬ４１を最も遅く消灯して全消灯状態にする。
従って、これら複数の光源を同時にＯＮ／ＯＦＦした場合、ＤＲＬ４１を最も長く点灯しつづけることが可能となる。
【００９５】
図２３は、車両前部に搭載された車幅灯５１、前照灯５２、およびフォグランプ５３の点消灯状態を説明する図である。これら光源のうち、先に点灯し後に消灯する第１の光源を車幅灯５１とし、後に点灯し先に消灯する第２の光源を前照灯５２およびフォグランプ５３とする。
車幅灯５１、前照灯５２およびフォグランプ５３が消灯している全消灯状態において、車幅灯５１が前照灯５２およびフォグランプ５３と同時にＯＮされた場合、ＬＥＤ点灯装置１０が車幅灯５１を最も早く点灯し（過渡状態）、そのあと前照灯５２およびフォグランプ５３を点灯して全点灯状態にする。
全点灯状態において、車幅灯５１が前照灯５２およびフォグランプ５３と同時にＯＦＦされた場合、ＬＥＤ点灯装置１０は先に前照灯５２およびフォグランプ５３を消灯し（過渡状態）、車幅灯５１を最も遅く消灯して全消灯状態にする。
従って、これら複数の光源を同時にＯＮ／ＯＦＦした場合、車幅灯５１を最も長く点灯しつづけることが可能となる。
【００９６】
図２４は、車両前部に搭載された前照灯のすれ違い灯（Ｌｏビーム）６１および走行灯（Ｈｉビーム）６２、ならびに補助灯６３の点消灯状態を説明する図である。補助灯６３とは、例えば高速道路を走行中に点灯したり、雨に濡れた道路を走行中に点灯したりする光源である。これら光源のうち、先に点灯し後に消灯する第１の光源を前照灯のすれ違い灯６１とし、後に点灯し先に消灯する第２の光源を前照灯の走行灯６２および補助灯６３とする。
すれ違い灯６１、走行灯６２および補助灯６３が消灯している全消灯状態において、すれ違い灯６１が走行灯６２および補助灯６３と同時にＯＮされた場合、ＬＥＤ点灯装置１０がすれ違い灯６１を最も早く点灯し（過渡状態）、そのあと走行灯６２および補助灯６３を点灯して全点灯状態にする。
全点灯状態において、すれ違い灯６１が走行灯６２および補助灯６３と同時にＯＦＦされた場合、ＬＥＤ点灯装置１０は先に走行灯６２および補助灯６３を消灯し（過渡状態）、すれ違い灯６１を最も遅く消灯して全消灯状態にする。
従って、これら複数の光源を同時にＯＮ／ＯＦＦした場合、前照灯のすれ違い灯６１を最も長く点灯しつづけることが可能となる。
【００９７】
以上より、実施の形態５によれば、車載灯具が有する複数の光源を、複数の入力インタフェースに存在するばらつきの影響を受けることなく、仕様の範囲内で適切な順序で点灯および消灯させるＬＥＤ点灯装置１０を提供することができる。
【００９８】
なお、上記実施の形態１〜５では、光源ごとに電圧変換部と電圧入力部を設け、制御部が各電圧変換部を制御することで各光源の点消灯を制御する構成にしたが、これに限定されるものではない。ここで、図２５および図２６に変形例を示す。
【００９９】
図２５に示すＬＥＤ点灯装置１０は、Ｌｏ用ＬＥＤ１とＨｉ用ＬＥＤ２の点灯用の電圧を出力する電圧変換部７０と、Ｌｏ用ＬＥＤ１の点消灯を切り替えるＬｏ用点灯スイッチ７１と、Ｈｉ用ＬＥＤ２の点消灯を切り替えるＨｉ用点灯スイッチ７２を新たに備えている。この構成の場合、制御部１３がＬｏ用電圧入力部１４およびＨｉ用電圧入力部１５の入力電圧に応じてＬｏ用点灯スイッチ７１およびＨｉ用点灯スイッチ７２を制御することにより、電圧変換部７０からＬｏ用ＬＥＤ１およびＨｉ用ＬＥＤ２へ点灯用電圧を供給または遮断して、Ｌｏ用ＬＥＤ１およびＨｉ用ＬＥＤ２を個別に点消灯する。
このように、電圧変換部の個数を光源の個数以下にした場合でも、制御部が光源の点灯スイッチを制御することで上記実施の形態１〜５と同等のＬＥＤ点灯装置を実現可能である。
【０１００】
図２６に示すＬＥＤ点灯装置１０は、車両側に設けられた優先度の高い第１の光源であるＤＲＬ用ＬＥＤ８０およびＬｏ用ＬＥＤ１と、優先度の低い第２の光源であるＨｉ用ＬＥＤ２を点灯するための点灯装置であり、ＤＲＬ用ＬＥＤ８０は車両側に設けられたＤＲＬ用点灯スイッチ８１のＯＮ／ＯＦＦにより点消灯が指示される。
このＬＥＤ点灯装置１０は、Ｌｏ用ＬＥＤ１とＨｉ用ＬＥＤ２とＤＲＬ用ＬＥＤ８０の点灯用の電圧を出力する電圧変換部８７と、ＤＲＬ用ＬＥＤ８０の点消灯を切り替えるＤＲＬ用点灯スイッチ８２と、Ｌｏ用ＬＥＤ１の点消灯を切り替えるＬｏ用点灯スイッチ８３と、Ｈｉ用ＬＥＤ２の点消灯を切り替えるＨｉ用点灯スイッチ８４を新たに備えている。また、図１等に示したＬｏ用電圧入力部１４とＨｉ用電圧入力部１５に代えて、第１の光源用電圧入力部８５と第２の光源用電圧入力部８６を備えている。この構成の場合、制御部１３が第１の光源用電圧入力部８５および第２の光源用電圧入力部８６の入力電圧に応じてＤＲＬ用点灯スイッチ８２、Ｌｏ用点灯スイッチ８３およびＨｉ用点灯スイッチ８４を制御することにより、電圧変換部８７からＤＲＬ用ＬＥＤ８０、Ｌｏ用ＬＥＤ１およびＨｉ用ＬＥＤ２へ点灯用電圧を供給または遮断して、ＤＲＬ用ＬＥＤ８０とＬｏ用ＬＥＤ１をまとめて点消灯し、Ｈｉ用ＬＥＤ２を個別に点消灯する。
このように、電圧入力部の個数を光源に対して必ずしも１対１に対応する必要はなく、少なくとも優先度の高い第１の光源と優先度の低い第２の光源で分かれていれば十分である。
【０１０１】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【０１０２】
１  Ｌｏ用ＬＥＤ、２  Ｈｉ用ＬＥＤ、３  電源、４  Ｌｏ用点灯スイッチ、５  Ｈｉ用点灯スイッチ、１０  ＬＥＤ点灯装置、１１  Ｌｏ用電圧変換部、１２  Ｈｉ用電圧変換部、１３  制御部、１４  Ｌｏ用電圧入力部、１４ａ，１５ａ  コンパレータ、１５  Ｈｉ用電圧入力部、２０〜２２  タイマ、３０  ＣＰＵ、３１  記憶素子、３２  通信部、３３，３４  ＡＤコンバータ、４１  ＤＲＬ、４２，５１  車幅灯、４３，５３  フォグランプ、５２  前照灯、６１  すれ違い灯、６２  走行灯、６３  補助灯、７０，８７  電圧変換部、７１、８３  Ｌｏ用点灯スイッチ、７２，８４  Ｈｉ用点灯スイッチ、８０  ＤＲＬ用ＬＥＤ、８１，８２  ＤＲＬ用点灯スイッチ、８５  第１の光源用電圧入力部、  ８６  第２の光源用電圧入力部、１００  外部機器。
【図１】
2014156184.tif 000003
【図２】
2014156184.tif 000004
【図３】
2014156184.tif 000005
【図４】
2014156184.tif 000006
【図５】
2014156184.tif 000007
【図６】
2014156184.tif 000008
【図７】
2014156184.tif 000009
【図８】
2014156184.tif 000010
【図９】
2014156184.tif 000011
【図１０】
2014156184.tif 000012
【図１１】
2014156184.tif 000013
【図１２】
2014156184.tif 000014
【図１３】
2014156184.tif 000015
【図１４】
2014156184.tif 000016
【図１５】
2014156184.tif 000017
【図１６】
2014156184.tif 000018
【図１７】
2014156184.tif 000019
【図１８】
2014156184.tif 000020
【図１９】
2014156184.tif 000021
【図２０】
2014156184.tif 000022
【図２１】
2014156184.tif 000023
【図２２】
2014156184.tif 000024
【図２３】
2014156184.tif 000025
【図２４】
2014156184.tif 000026
【図２５】
2014156184.tif 000027
【図２６】
2014156184.tif 000028
【図２７】
2014156184.tif 000029